(57)【特許請求の範囲】
【請求項１】
上下動する窓障子に連結した螺旋杆によりねじりばねを回転し、該ねじりばねのばね力によって螺旋杆を引き上げ窓障子を任意の位置に静止できるようにした窓用バランサーのバランサー支えにおいて、窓枠に沿って上記窓障子が上下動するよう該窓障子を案内する受け具本体を窓障子に取付け、該受け具本体に上記螺旋杆の下端を支持するバランサー支持体と該バランサー支持体に係合して後退位置に保持され横方向に突出可能に付勢されたスライドレバーを設け、上記ばね力が消失して窓障子が降下する際、上記スライドレバーとの係合を外して該スライドレバーが突出位置に移動するよう上記バランサー支持体を下方に移動可能に付勢し、上記受け具本体から突出した上記スライドレバーが係合するよう窓枠にストッパーを設けた落下防止機能付バランサー受け。
【請求項２】
上記バランサー支持体は、受け具本体に形成した縦溝に挿入するフランジを有し、上方に形成した上板が受け具本体の天板の下縁に当る位置から下方に移動可能であり、該上板と天板間にばねが設けられている請求項１に記載の落下防止機能付バランサー受け。
【請求項３】
上記バランサー支持体は、螺旋杆に設けたピンを保持するフックを有する請求項１または２に記載の落下防止機能付バランサー受け。
【請求項４】
上記バランサー支持体は係止板を有し、上記スライドレバーはこの係止板に係合可能な当接板を有する請求項１に記載の落下防止機能付バランサー受け。
【発明の詳細な説明】
【０００１】
【発明の属する技術分野】
本発明は、上下動する窓障子を任意の位置に静止させることができるようバランサーを設けた窓のバランサー受けに関し、特にバランサーが機能しなくなって窓障子が自重で降下するとき窓枠の下枠と窓障子間に手、指等を挟み込まないようにした落下防止機能付バランサー受けに関するものである。
【０００２】
【従来の技術】
上下動窓の釣合装置として、ねじりばねを用いたバランサーが知られている。このバランサーは、窓枠の縦枠の上部に筒の一端を固着し、この筒の下部に回転可能にナットを取付け、該ナットに螺合する螺旋杆を上記の筒の下端から筒内に挿入し、上記筒内に上記ナットが螺旋杆によって回転した際巻き込まれるよう一端を該ナットに固着し他端を筒内に固着したねじりばねを具備している。この構成により、上記螺旋杆を降下させるとナットは回転して上記ねじりばねを巻き締め、一方該ねじりばねはその巻き戻り方向のばね力によって上記ナットを逆転させ上記螺旋杆を上昇させるように作用する。したがって、上記ねじりばねのばね力により引き上げられている上記螺旋杆を窓障子に連結し、該窓障子の最大上昇位置において窓障子の重さと釣り合うばね力を上記ねじりばねに与えておくと、ねじりばねと窓障子は常に釣り合って窓障子を任意の位置に静止させることができ、かつ窓障子を小さな力で上下させることができる。
【０００３】
上述のように、上記バランサーは、ばねによって釣り合うように構成されているから、該ばねが切れたり、ばねの固着部が壊れたりすると、ばね力は消失し、窓障子は一気に降下する。そのため、窓枠の下枠と窓障子の下縁間に手、指等を挟み込むおそれがある。
【０００４】
【発明が解決しようとする課題】
本発明の解決課題は、上記のようなバランサーを取付けるためのバランサー受けを有する窓障子において、ばね力が消失しても窓障子が急激に落下して手、指等を挟み込まないようにした落下防止機能付バランサー受けを提供することである。
【０００５】
【課題を解決するための手段】
本発明によれば、上下動する窓障子に連結した螺旋杆によりねじりばねを回転し、該ねじりばねのばね力によって螺旋杆を引き上げ窓障子を任意の位置に静止できるようにした窓用バランサーのバランサー支えにおいて、窓枠に沿って上記窓障子が上下動するよう該窓障子を案内する受け具本体を窓障子に取付け、該受け具本体に上記螺旋杆の下端を支持するバランサー支持体と該バランサー支持体に係合して後退位置に保持され横方向に突出可能に付勢されたスライドレバーを設け、上記ばね力が消失して窓障子が降下する際、上記スライドレバーとの係合を外して該スライドレバーが突出位置に移動するよう上記バランサー支持体を下方に移動可能に付勢し、上記受け具本体から突出した上記スライドレバーが係合するよう窓枠にストッパーを設けた落下防止機能付バランサー受けが提供され、上記課題が解決される。
【０００６】
【発明の実施の形態】
図面は本発明の一実施例を示している。図において、窓障子（１）の下部には、該窓障子（１）が窓枠の縦枠（２）に沿って上下動するよう該窓障子（１）を案内する受け具本体（３）が取付けられている。該受け具本体（３）は、窓障子（１）の下辺に沿う取付部（４）と側辺に沿う起立部（５）を有する略Ｌ字型に形成され、該取付部（４）には、取付ねじ（６）を挿通する孔（７）が形成されている。
【０００７】
上記受け具本体（３）の起立部（５）は、縦枠（２）内に摺動可能に挿入され、内部に空所（８）を有する略箱形状に形成され、上辺から端辺に向かって斜めに切欠かれた開口（９）を有する。該起立部（５）の側壁(10),(10）の内面には、下端が開口する縦溝(11)が形成され、外面に設けたリブ(12)には上記縦枠（２）に対向する案内突起(13)が形成されている。また、起立部（５）の端壁(14)には、上記取付部（４）方向に開口するスライド溝(15),(15）が形成されている。
【０００８】
上記受け具本体（３）の起立部（５）には、バランサーの螺旋杆(16)の下端を支持するバランサー支持体(17)が設けられている。該バランサーの螺旋杆(16)の上方には、図示を省略したねじりばねや該ねじりばねを収納する筒、ねじりばねを巻き込むため上記筒に回転可能に取付けられ該螺旋杆が螺合するナット等公知の部材が設けられ、それらの部材で構成されたバランサーにより上記窓障子の重さと釣り合うように上記螺旋杆(16)を上方に引き上げている。
【０００９】
該バランサー支持体(17)は、図１、図２に示すように、螺旋杆(16)を下端から差し込んでそのピン(18)を掛け止めるため、対向する方向に突出するフック(19),(19）を側板(20),(20）の下端に有し、該側板(20),(20）にはフランジ(21),(21）が形成され、上方には横方向に屈曲する上板(22)が設けられ、下方には上記取付部（４）方向にほぼ水平に屈曲しその先端がさらに下向に屈曲する係止板(23)が設けられている。該バランサー支持体(17)は、上記起立部（５）の上記縦溝(11)の下端開口部から上記フランジ(21)を差し込み、上記上板(22)が起立部（５）の天板(24)の下縁(25)に当接する位置から下方に移動可能に起立部（５）内に組み込まれ、上板(22)と上記起立部（５）の天板(24)間には該バランサー支持体(17)を下方に付勢するようばね(26)が設けられている。なお、該バランサー支持体(17)の上板(22)の下部の起立部（５）には、該バランサー支持体(17)の移動を制限するストッパーピン(27)が設けられており、上記ばね(26)のばね力は、上記バランサーのねじりばね（図示略）のばね力よりも小さく、また圧縮ばねを用いているが適宜位置に引張りばねを設けてもよく、場合によってはばねを省略して適宜の重りを用いて下方に付勢してもよい。
【００１０】
上記受け具本体（３）の取付部（４）にはスライドレバー(28)が設けられ、該スライドレバー(28)は該取付部（４）に取付けたカバー(29)により保持されている。該スライドレバー(28)は断面略Ｕ字状に形成され、側板(30),(30）の先部が上記起立部（５）の上記スライド溝(15),(15）に挿入され、図１に示す後退位置と図３に示す突出位置の間で横方向に突出可能に設けられている。スライドレバー(28)の中間部に形成した起立板(31)と上記受け具本体（３）の取付部（４）に形成した受面(32)間には、ばね(33)を設けて該スライドレバーを上記突出位置に向けて付勢しているが、該ばねは、他の適宜の位置に設けたり、引張りばねを用いてもよい。
【００１１】
上記スライドレバー(28)は、通常の使用状態では、上方に引き上げられている上記バランサー支持体(17)によって後退位置に保持されている。図においては、スライドレバー(28)に当接板(34)を形成し、該当接板(34)が、後退位置において上記バランサー支持体(17)の係止板(23)に係合するようにしてあるが、その他適宜の構成で係止させることもでき、この状態でスライドレバー(28)の先端部(35)は、受け具本体（３）の起立部（５）の端壁(14)より突出していない。なお、該起立部（５）の下端は、板ばね材等により断面略Ｕ字状に形成した起立部カバー(36)が着脱可能に設けられている。
【００１２】
上記窓枠の縦枠（２）には、窓障子の下線と窓枠の下枠（図示略）との間に、少くとも手、指等を挟み込まないような間隔を存する位置にストッパー(37)が設けられている。該ストッパー(37)は、縦枠（２）の裏面に裏板(38)を設けてねじ(39)で取付けてあるが、縦枠の一部を切り起してストッパーとしてもよく、複数個所に設けることもできる。該ストッパー(37)は、通常の使用状態では窓障子の降下に支障がない位置にあり、上記スライドレバー(28)が受け具本体（３）から突出した位置では、該スライドレバー(28)の先端部(35)が係合するように縦杆の表面より突出している。
【００１３】
而して、通常の状態では、螺旋杆(16)及びバランサー支持体(17)は、図示を省略したバランサーのねじりばねのばね力により上方に引き上げられているから、図１に示すようにバランサー支持体(17)は、上板(22)が受け具本体（３）の起立部（５）の天板の下縁(25)に当接し、またバランサー支持体(17)の下部に形成した上記係止板(23)に当接板(34)が当って上記スライドレバー(28)は後退位置に保持され、スライドレバー(28)の先端部(35)は受け具本体（３）の起立部（５）より横方向に突出していない。したがって、普通のバランサー付き窓障子として上記窓障子を上下動させ、任意の位置に静止させることができる。
【００１４】
ねじりばねの切断その他の原因で上記ばね力が消失すると、上記螺旋杆(16)及び窓障子（１）等は自重で降下を始めるが、その際上記バランサー支持体(17)は、ばね(26)によって下方に移動され、係止板(23)が当接板(34)から外れ、上記スライドレバー(28)は、ばね(33)によって突出位置に移動する（図３）。そして、縦枠（２）に設けたストッパー(37)に該スライドレバー(28)の先端部(35)が係合した位置で降下は阻止され、窓障子（１）の下部に手、指等を挟まないようにすることができる。なお、上記バランサーを修理する場合には、上記起立部カバー（36）を外し螺旋杆(16)をバランサー支持体(17)から取り外して行えばよい。
【００１５】
【発明の効果】
本発明は上記のように構成され、上下動する窓障子に連結した螺旋杆によりねじりばねを回転し、該ねじりばねのばね力によって螺旋杆を引き上げ窓障子を任意の位置に静止できるようにした窓用バランサーのバランサー支えにおいて、窓枠に沿って上記窓障子が上下動するよう該窓障子を案内する受け具本体を窓障子に取付け、該受け具本体に上記螺旋杆の下端を支持するバランサー支持体と該バランサー支持体に係合して後退位置に保持され横方向に突出可能に付勢されたスライドレバーを設け、上記ばね力が消失して窓障子が降下する際、上記スライドレバーとの係合を外して該スライドレバーが突出位置に移動するよう上記バランサー支持体を下方に移動可能に付勢し、上記受け具本体から突出したスライドレバーが係合するよう窓枠にストッパーを設けたから、通常は普通のバランサー付き窓障子として使用することができ、バランサーが故障したときには窓障子が降下しても途中でスライドレバーが突出して窓障子の降下を停止させることができ、手指等を挟むことがなく、安全に使用することができる。
【図面の簡単な説明】
【図１】本発明の一実施例を示し、（Ａ）は断面図、（Ｂ）は平面図。
【図２】分解斜視図。
【図３】バランサーのばね力が消失したときの断面図。
【符号の説明】
１  窓障子
２  縦枠
３  受け具本体
４  取付部
５  起立部
16  螺旋杆
17  バランサー支持体
19  フック
22  上板
23  係止板
24  天板
28  スライドレバー
29  カバー
34  当接板
35  先端部
37  ストッパー
【図１】
0004189832.tif 000002
【図２】
0004189832.tif 000003
【図３】
0004189832.tif 000004